(57)【要約】【課題】法令の範囲内で回転灯を搭載することが出来るし、車輌の走行時には回転灯を確実に支持することができ、かつ容易に着脱することができる車両用回転灯の搭載装置を提供する。【解決手段】金属板からなる支持体１は、有底で上方が開放した横長四角形の箱状に形成し、車両に取着する下ケース２と、下ケース２に一側縁を係着して下ケース２を施蓋する上カバー１０とから構成してある。下ケース２には側面に配線通し穴が設けてあり、上カバー１０には回転灯の取付脚を挿着する複数の支持穴１２と、配線引出穴１１が設けてある。下ケース２と上カバー１０は側面に設けたロック機構により施蓋した状態で係止するようになっている。【選択図】図１
0003199654.tif 000002
【実用新案登録請求の範囲】
【請求項１】
支持体は、有底で上方が開放した横長四角形の箱状に形成し、車輌に取着する下ケースと、該下ケースに一側縁を係着して下ケースを施蓋する上カバーとから構成し、前記下ケースには配線通し穴を設け、前記上カバーには回転灯の取付脚を挿着する支持穴を設け、前記下ケースと上カバーは施蓋した状態でロック機構により係止するように構成してなる車両用回転灯の搭載装置。
【請求項２】
前記上カバーは、所定の角度以上傾けることにより前記一側縁が前記下ケースから外れる構成にしてあることを特徴とする請求項１記載の車両用回転灯の搭載装置。
【請求項３】
前記下ケースは、高さを車輌基準の制限内に設定してある請求項１記載の車両用回転灯の搭載装置。
【請求項４】
前記ロック機構は、係止鉤片を有して前記支持体に設ける取付基体と、該取付基体に先端側を軸着し、上下方向に回動可能な後端側に前記係止鉤片に係合する係止軸を前後方向に変位可能に設けた可動基体と、該可動基体に摺動可能に設けたスライダーで前記係止軸を後方に変位させることにより前記取付基体と可動基体の係合を解除するスライド開錠部と、前記可動基体に支持軸により軸着したフック支持体と、該フック支持体の先端に設け、前記支持体に係脱するフックとから構成してあることを特徴とする請求項１記載の車輌用回転灯の搭載装置。
【請求項５】
前記下ケースと上カバーは、鍵により密閉可能に構成してあることを特徴とする請求項１記載の車輌用回転灯の搭載装置。
【考案の詳細な説明】
【技術分野】
【０００１】
本考案は、災害時緊急車両その他の車両に車輌用回転灯を容易に搭載でき、また取り外しができるようにした車輌用回転灯の搭載装置に関する。
【背景技術】
【０００２】
警察車輌や消防車輌等は、走行時の安全を確保して緊急の用務に迅速に対応できるように車輌の屋根に回転灯（警告灯）を搭載することが義務付けられており、回転灯は固定的に搭載している。他方、電力会社、ガス会社、道路事業団等の民間の車輌であっても緊急の用務に対応する必要から、黄色、青色、緑色等の法令で定める色の回転灯を許可を得て搭載することが認められている。
しかし、道路交通法は、道路維持許可取得車輌等の一定の除外された車両以外の車輌には回転灯を固定的は勿論のこと、使用可能な状態で仮に搭載することも認められないとしている。
【０００３】
そこで、道路工事会社や建設会社等の民間の車両に回転灯を搭載する場合、緊急の用務以外の場合には回転灯を取り外す必要があるが、かくしては極めて面倒であり、また緊急の用務に迅速に対応出来ないという問題がある。しかし、先行技術によれば、車載警告灯１を構成するグローブ体２は取付部材３によって緊急車両Ｖの屋根Ｒに取り付ける構成になっており、容易に取り外すことが可能な構成になっていない（特許文献１）。
【先行技術文献】
【特許文献】
【０００４】
【特許文献１】特開２０１０−２６７５１１号公報
【考案の概要】
【考案が解決しようとする課題】
【０００５】
本考案は上述した従来技術の未解決の問題点に鑑みなされたもので、法令の範囲内で回転灯を搭載することが出来るし、車輌の走行時には回転灯を確実に支持することができ、かつ容易に着脱することができてる車両用回転灯の搭載装置を提供することを目的とする。
【課題を解決するための手段】
【０００６】
上述した課題を解決するために構成した本考案の手段は、支持体は、有底で上方が開放した横長四角形の箱状に形成し、車輌に取着する下ケースと、該下ケースに一側縁を係着して下ケースを施蓋する上カバーとから構成し、前記下ケースには配線通し穴を設け、前記上カバーには回転灯の取付脚を挿着する支持穴を設け、前記下ケースと上カバーは施蓋した状態でロック機構により係止するようにしたものからなる。
【０００７】
そして、前記上カバーは、所定の角度以上傾けることにより前記一側縁が前記下ケースから外れる構成にするとよい。
【０００８】
また、前記下ケースは、高さを車輌基準の制限内に設定するとよい。
【０００９】
また、前記ロック機構は、係止鉤片を有して前記支持体に設ける取付基体と、該取付基体に先端側を軸着し、上下方向に回動可能な後端側に前記係止鉤片に係合する係止軸を前後方向に変位可能に設けた可動基体と、該可動基体に摺動可能に設けたスライダーで前記係止軸を後方に変位させることにより前記取付基体と可動基体の係合を解除するスライド開錠部と、前記可動基体に支持軸により軸着したフック支持体と、該フック支持体の先端に設け、前記支持体に係脱するフックとから構成してある。
【００１０】
そして、前記下ケースと上カバーは、鍵により密閉可能に構成するとよい。
【考案の効果】
【００１１】
本考案は上記の如く構成したから、下記の諸効果を奏する。
（１）支持体は、上カバーを下ケースの一側縁に係止し、両側はロック機構により係止する構成にしたから、支持体の開閉が容易で回転灯の搭載作業、配線の処理等を速やかに行うことが出来る。
（２）上カバーは、所定の角度以上傾けることにより一側縁が下ケースから外れる構成にしたから、ロック機構が何等かの理由により開錠しても安全性は維持できる。
（３）下ケースは高さを所定の車両基準内に設定してあるから、車検にも適合することができる。
（４）下ケースと上カバーに一体的に係止するフックは、スライダーの押動操作によって簡単に解除できるから操作性に優れており、しかも簡単な操作で確実に施錠できるから安全性に優れている。
【図面の簡単な説明】
【００１２】
【図１】本考案の実施の形態に係り、搭載装置の平面図である。
【図２】下ケースの側面図である。
【図３】上ケースの側面図である。
【図４】搭載装置の一部を破断して示す側面図である。
【図５】ロック機構の構成説明図である。
【図６】図５の左側面図である。
【図７】回転灯を組付けた搭載装置の側面図である。
【図８】回転灯を組付けた搭載装置の背面図である。
【考案を実施するための形態】
【００１３】
以下、本考案の実施の形態を図面に基づいて詳述する。図において、１は金属板で成形した支持体を示す。２は該支持体１を構成する下ケースで、該下ケース２は横長四角形の底板２Ａと、該底板２Ａの前縁から起立する前板２Ｂ、後縁から起立する後板２Ｃ、及び底板２Ａの左右縁から起立する側板２Ｄ、２Ｄとによって、最大高さを２９ｍｍとした浅底の容器状に形成してある。
【００１４】
そして、上記底板２Ａには幅方向に離間した位置に前後２個、計４個の支持脚挿入穴３、３が形成してあり、一側の側板２Ｄには配線通し穴４を形成して口縁には配線を保護するためのグロメット５を嵌着してある。また、配線通し穴４から離間して側板２Ｄには後述するロック機構１８の圧縮ばね２３Ｅを回避するＵ字状の切欠き６を形成し、前側に係止用穴７が形成してある。また、前板２Ｂの上端両側には鍵穴８Ａを形成した鍵取付片８、８を突設し、後板２Ｃには幅方向に離間してスリット状の一対のカバー連結孔９、９が形成してある。
【００１５】
１０は下ケース２を施蓋する上カバーを示す。該上カバー１０は上板１０Ａと、該上板１０Ａの後縁から下方に折り曲げて形成した後板１０Ｂと、左右の側板１０Ｃ、１０Ｃとから構成してある。上カバー１０は、上板１０Ａの中央に配線引出し穴１１を形成し、幅方向に離間した位置に前後２個、計４個の支持脚挿入穴１２、１２を形成し、上板１０Ｂの上端両側には鍵穴１３Ａを形成した鍵取付片１３、１３が突設してある。
【００１６】
また、１４、１４は上カバー１０の後板１０Ｂに幅方向に離間して左右に設けた一対のカバー係合片で、該各カバー係合片１４は中間を略クランク状に折り曲げて形成してあり、下ケース２のカバー連結穴９には上カバー１０を直立させてカバー係合片１４を略水平の状態にして差し込むことで係合するようにしてあり、上カバー１０を施蓋状態にした場合に容易に離脱しないようになっている。
【００１７】
また、１５、１５は側板１０Ｃの略中央に横方向に形成した一対の取付穴で、該取付穴１５、１５はロック機構１８を螺着するためのものである。１６は側板１０Ｃの後端側に形成した切欠き状の開放部で、該開放部１６により下ケース２の配線通し穴４を外部に開放させている。１７はロック機構１８のフック２４が嵌入する係止用穴で、該係止用穴１７は下ケース２の係止用穴７に対応して形成してある。
【００１８】
支持体１は上述したように下ケース２と上カバー１０とから構成し、内部は配線の余丁部を収容するスペース１Ａになっている。１８、１８は、下ケース２に上カバー１０を係止するための一対の金属製のロック機構を示し、該ロック機構１８、１８は支持体１の左右両側に設けてある。
【００１９】
ここで、該各ロック機構１８は以下の構成から成る。１９はロック機構１８を構成し、正面視で略凵字状の取付基体で、該取付基体１９は上カバー１０の側板１０Ｃにネジ止めしてあり、後側に一対の係止鉤片１９Ａ、１９Ａが立設してある。２０は可動基体で、該可動基体２０は取付基体１９に先端側を連結軸２１により軸着してあり、後端側が矢示イ、ロ方向に回動可能になっている。２２は該可動基体２０に設けたスライド開錠部で、該スライド開錠部２２は略コ字状に形成して可動基体２０に矢示ロ、ハ方向の前後方向に摺動可能に嵌合したスライダー２２Ａと、該スライダー２２Ａに設けられ、可動基体２０に対して前後動することにより前記係止鉤片１９Ａに係脱する係止軸２２Ｂと、該係止軸２２Ｂと後述する支持軸２３Ａとの間に張設し、スライダー２２Ａをロックする前方向に付勢する引っ張りばね２２Ｃとからなる。
【００２０】
２３はスライダー２２の前側位置で可動基体２０に設けたフック支持体で、該フック支持体２３は支持軸２３Ａにより軸着した一対の支持アーム２３Ｂ、２３Ｂと、先端にフック支持軸２３Ｃを架設してコ字状に形成し、該支持アーム２３Ｂに対して摺動するフック取着アーム２３Ｄと、該フック取着アーム２３Ｄと支持アーム２３Ｂに一体に被着することによりフック取着アーム２３Ｄに張力を付与する圧縮ばね２３Ｅとから構成してある。
【００２１】
２４は前記フック支持軸２３Ｃに回動可能に設けたフックで、該フック２４は先端側を鈎状に形成したフック本体２４Ａと、該フック本体２４Ａに凸設した指掛け片２４Ｂとから構成してあり、フック本体２４Ａは上カバー１０の係止用孔１７から下ケース２の係止用孔７に一体に嵌合するものである。
【００２２】
更に、２５は下ケース２と上カバー１０を閉塞するために鍵取付片８、１３に設けた鍵で、支持体１を盗難から守り、また内部機器が損壊される事態を予防するためのものである。
【００２３】
本実施の形態に係る回転灯の搭載装置は上述した構成からなるもので、以下にその作用について説明する。支持体１の下ケース２下面には車両の屋根との間に空間を確保するための搭載台３０が設けてある。該搭載台３０は螺着、磁着等の適宜の手段で車両の屋根に固定してある。車両から引き出した電源ケーブルは下ケース２の配線通し穴４から下ケース２内に導入する。配線通し穴４にはグロメット５を嵌着してあり、走行時の振動によって電源ケーブルが損傷するのを防止している。電源ケーブルの余丁部分も下ケース２内に収納することで、走行時の安全性を確保し、ケーブルの損傷防止を図っている。
【００２４】
上カバー１０は、カバー係合片１４を下ケース２のカバー連結穴９に差し込むことにより下ケース２と連結する構成にしてあり（図４参照）、外方に４５度以上傾けることで外すことができる。下ケース２に上カバー１０を嵌着したら回転灯３１の４本の取付脚３１Ａの各々を支持脚挿入穴１２から下ケース２の支持脚挿入穴３にかけて挿入することにより支持体１に回転灯３１を組付ける。
電源ケーブルはソケットによって回転灯側と接続する。
【００２５】
下ケース２と上カバー１０は施蓋した状態でロック機構１８により一体に係止する。即ち、ロック機構１８のスライダー２２Ａを矢示ニ方向に押動すると係止軸２２Ｂが係止鉤片１９Ａから離脱し、可動基体２０は矢示イ方向に回転可能になる。これによりフック２４の支点が前方に変位するから、フック２４を支持体１の係止用穴７、１７から容易に離脱させて、下ケース２から上カバー１０を外すことができる。
【００２６】
下ケース２を上カバー１０で覆う場合は、上記の手順とは逆に下ケース２を上カバー１０で覆ったら、フック２４を両係止用穴７、１７に一体に係合し、可動基体２０を矢示ロ方向に回転させる。フック２４の支点が後方に移動するので圧縮ばね２３Ｅのばね力が働いてフック２４は両係止用穴７、１７に強く係止する。可動基体２０を取付基体１９側に更に押動することにより引っ張りばね２２Ｃのばね力に抗して係止軸２２Ｃが後退し、係止鉤片１９Ａに係合することにより、可動基体２０は取付基体１９にロックされた状態になる。
このロック状態を解除するのはスライダー２２Ａを矢示ニ方向に変位させることで、容易に解除することができる。
【００２７】
また、上カバー１０はカバー係合片１４を下ケース２のカバー連結孔９に直角方向から差し込んで連結する構成にしてあるから、上カバー１０を４５度以上傾けない限り下ケース２から外れることもない。
【符号の説明】
【００２８】
１        支持体
２        下ケース
４        配線通し穴
１０      上カバー
１２      支持脚挿入穴
１８      ロック機構
１９      取付基体
１９Ａ    係止鉤片
２０      可動基体
２２      スライド開錠部
２２Ａ    スライダー
２２Ｂ    係止軸
２３      フック支持体
２３Ａ    支持軸
２４      フック
２５      鍵
３１      回転灯
３１Ａ    取付脚
【図１】
0003199654.tif 000003
【図２】
0003199654.tif 000004
【図３】
0003199654.tif 000005
【図４】
0003199654.tif 000006
【図５】
0003199654.tif 000007
【図６】
0003199654.tif 000008
【図７】
0003199654.tif 000009
【図８】
0003199654.tif 000010